(57)【要約】【課題】短時間で効率的にボール捕集率に与える配管構造の影響を予測し、適切な配管構造を選定することで所望のボール捕集率を確保する。【解決手段】循環水配管の形状及び該循環水配管を構成する要素を示す入力条件データが入力される条件入力インターフェース１と、基準入力条件データを用いて算出されたボール捕集率の評価値基準値と、入力条件データの基準入力条件データからの偏差により前記評価値の基準値がどのように変化するかを示す基準変化量が格納された評価方法データベース３と、入力条件データ、前記基準値及び基準変化量に基づいて前記ボール捕集器の評価値を算出する演算部２と、ボール捕集率の評価値の実績値に基づいて設定された評価値の目標値が格納された実機実績データベース４と、前記演算部２で算出された評価値と評価値の目標値を対比して表示する対比部５とを設ける。【選択図】        図１
2008082568.tif 000002
【特許請求の範囲】
【請求項１】
復水器と、復水器の冷却細管の洗浄に用いられるボールを捕集するボール捕集器を接続する循環水配管の形状及び該循環水配管を構成する要素を示す入力条件データが入力される条件入力インターフェースと、
循環水配管の形状及び該循環水配管を構成する要素の基準を示す基準入力条件データを用いて算出された、前記ボール捕集器のボール捕集率の評価値の基準値と、条件入力インターフェースに入力された入力条件データの基準入力条件データからの偏差により前記評価値の基準値がどのように変化するかを示す、入力条件データごとの基準変化量が、それぞれ読み出し可能に格納された評価方法データベースと、
前記条件入力インターフェースと前記評価方法データベースに接続して設けられ、入力された入力条件データ、評価方法データベースから読み出された前記基準値及び前記入力条件データごとの基準変化量に基づいて前記ボール捕集器のボール捕集率の評価値を算出する演算部と、
過去に集積されたボール捕集器のボール捕集率の評価値の実績値に基づいて設定された評価値の目標値が読み出し可能に格納された実機実績データベースと、
前記演算部及び前記実機実績データベースに接続して設けられ、前記演算部で算出された前記評価値と実機実績データベースから読み出した評価値の目標値を対比して表示する対比部とを有してなるボール捕集器上流循環水配管最適径路・構造計画支援ツール。
【請求項２】
請求項１記載のボール捕集器上流循環水配管最適径路・構造計画支援ツールにおいて、前記条件入力インターフェースに入力される入力条件データは、前記循環水配管を流れる洗浄水の流速、前記循環水配管に含まれるエルボの角度、前記エルボの向き、複数エルボがある場合のエルボ間の距離、ボール捕集器直前直管部振り角度、整流板設置有無、整流板設置位置、配管軸方向整流板設置長さ、ボール捕集器位置、ボール捕集器格子形状、ボール捕集器格子向き、ボール捕集器入口ディフューザ有無、ボール捕集器と復水器の遠／近の中から複数を選択可能であることを特徴とするボール捕集器上流循環水配管最適径路・構造計画支援ツール。
【請求項３】
請求項１または２記載のボール捕集器上流循環水配管最適径路・構造計画支援ツールにおいて、前記ボール捕集器のボール捕集率の評価値の基準値は、ボール捕集器格子面とボール捕集器格子面上の洗浄水流れの速度成分のなす角度が予め設定された角度以上である格子面上の複数の点について計算された、ボール捕集器格子面に対するボール捕集器格子面上の洗浄水流れの法線方向速度成分の平均値である基準評価値Ａであり、前記基準変化量は、条件入力インターフェースに入力された入力条件データの基準入力条件データからの偏差により前記基準評価値Ａがどのように変化するかを示す基準変化量Ａであることを特徴とするボール捕集器上流循環水配管最適径路・構造計画支援ツール。
【請求項４】
請求項１または２記載のボール捕集器上流循環水配管最適径路・構造計画支援ツールにおいて、前記ボール捕集器のボール捕集率の評価値の基準値は、ボール捕集器格子面とボール捕集器格子面上の洗浄水流れの速度成分のなす角度が予め設定された角度以上である格子面上の複数の点について、ボール捕集器格子面に対するボール捕集器格子面上の洗浄水流れの速度成分に、該速度成分がボール捕集器格子面になす角度の大きさに応じてサイン関数による重み付けを行い、重み付けを行った速度成分のボール捕集器格子面に対する法線方向速度成分の平均値である基準評価値Ｂであり、前記基準変化量は、条件入力インターフェースに入力された入力条件データの基準入力条件データからの偏差により前記基準評価値Ｂがどのように変化するかを示す基準変化量Ｂであることを特徴とするボール捕集器上流循環水配管最適径路・構造計画支援ツール。
【請求項５】
請求項１または２記載のボール捕集器上流循環水配管最適径路・構造計画支援ツールにおいて、前記ボール捕集器のボール捕集率の評価値の基準値は、ボール捕集器格子面とボール捕集器格子面上の洗浄水流れの速度成分のなす角度が予め設定された角度以上である格子面上の複数の点について計算された、ボール捕集器格子面に対するボール捕集器格子面上の洗浄水流れの法線方向速度成分の平均値である基準評価値Ａと、ボール捕集器格子面とボール捕集器格子面上の洗浄水流れの速度成分のなす角度が予め設定された角度以上である格子面上の複数の点について、ボール捕集器格子面に対するボール捕集器格子面上の洗浄水流れの速度成分に、該速度成分がボール捕集器格子面になす角度の大きさに応じてサイン関数による重み付けを行い、重み付けを行った速度成分のボール捕集器格子面に対する法線方向速度成分の平均値である基準評価値Ｂとの双方であり、前記基準変化量は、条件入力インターフェースに入力された入力条件データの基準入力条件データからの偏差により前記基準評価値Ａがどのように変化するかを示す基準変化量Ａと、条件入力インターフェースに入力された入力条件データの基準入力条件データからの偏差により前記基準評価値Ｂがどのように変化するかを示す基準変化量Ｂの双方であることを特徴とするボール捕集器上流循環水配管最適径路・構造計画支援ツール。
【発明の詳細な説明】
【技術分野】
【０００１】
本発明は、復水器の冷却細管内面洗浄用ボールを使用する場合に所望のボール捕集率を確保するための循環水配管最適径路・構造を最適化する技術に関する。
【背景技術】
【０００２】
事業用及び産業用の発電設備において復水期の冷却細管内面洗浄用ボールを使用する場合、使用したボールは捕集して再使用あるいは廃棄する。その際、ボールが捕集できないと捕集されなかったボールは発電設備外部の海、川、あるいは湖などに放出されるから、ボール捕集率は環境保護の観点から非常に重要であり、ボール捕集器の性能は年々向上している。しかしながら、ボール捕集器性能を十分に発揮するには、ボール捕集器上流側の流れが整流されていることが望まれており、ボール捕集器上流循環水配管に十分な直管長さを確保することが望まれている。
【０００３】
なお、ボールによる冷却細管の洗浄については、特許文献１〜４に記載されている。
【０００４】
【特許文献１】特開２００３−１２１０９５号公報
【特許文献２】特表平９−５０９２４４号公報
【特許文献３】特開昭６２−１３４４９８号公報
【特許文献４】特開平６−１９４０７１号公報
【発明の開示】
【発明が解決しようとする課題】
【０００５】
先に述べたように、ボール捕集器性能を十分に発揮するには、ボール捕集器上流循環水配管に十分な直管長さを確保することが望まれている。しかし、発電設備の敷地面積や建屋形状および発電設備用機器の配置上の制限から必要とされる直管長さを確保できない場合がある。この場合、ボール捕集器上流側の流れを整流するために整流板を設置して対応することが可能であるが、循環水配管製作コストが増加する。
【０００６】
そのうえ、整流板設置可能範囲も各発電設備ごとに異なっており、望ましい位置、範囲に整流板を設置することができず、必ずしも期待する整流効果を得られる保証がない。このため、整流板を設置しても希望するボール捕集率が得られず、発電設備の試運転中にボール捕集率向上のための対策を実施しなければならなくなる場合もある。
【０００７】
また、配管構成物を変更する都度流動解析を実施し、ボール捕集率の確認を行うことも可能であるが、解析費用と膨大な時間がかかるため、現実的ではない。
【０００８】
本発明の課題は、短時間で効率的にボール捕集率に与える配管構造の影響を予測し、適切な配管構造を選定することで所望のボール捕集率を確保することである。
【課題を解決するための手段】
【０００９】
上記の課題を解決する本発明は、入力条件データとして、少なくとも基準となるボール捕集器上流の循環水配管経路、ボール捕集器上流の循環水配管における整流板設置有無、前記整流板設置位置、前記整流板の配管軸方向設置長さ、ボール捕集器上流の循環水配管に対するボール捕集器相対位置を入力とし、流動解析によってボール捕集器格子面の各点における流れの方向と格子面に対する法線方向速度成分を求め、ボール捕集器格子面の各点における流れの方向と格子面がなす角度、及び格子面に対する法線方向速度成分を用いて、ボール捕集率を評価する評価値の基準値を求めておくとともに、対象とするボール捕集器上流の循環水配管経路、ボール捕集器上流の循環水配管における整流板設置有無、前記整流板設置位置、前記整流板の配管軸方向設置長さ、ボール捕集器上流の循環水配管に対するボール捕集器相対位置などの入力条件データが前記基準値となる入力条件データと偏差をもつとき、該偏差により、前記評価値の基準値がどれだけ変化するかの基準変化量を、入力条件データごとに求めて格納しておく。対象とするボール捕集器上流の循環水配管経路、ボール捕集器上流の循環水配管における整流板設置有無、前記整流板設置位置、前記整流板の配管軸方向設置長さ、ボール捕集器上流の循環水配管に対するボール捕集器相対位置などの入力条件データが入力されたら、前記基準となる入力条件データと入力された入力条件データの偏差を入力条件データごとに求め、前記基準変化量を用いて前記評価値の基準値がどれだけ変化するかを算出して、対象とするボール捕集器の評価値を算出する。予め実機の評価値に基づいて設定してある評価値の目標値と前記算出した評価値を対比し、算出した評価値が目標値以下であれば、合格とする。算出した評価値が目標値を上回っていたら、入力条件データを変更して再度、上記手順を繰り返し評価値を算出する。
【００１０】
ボール捕集率を評価する評価値の基準値を求める方法としては、ボール捕集器格子面とボール捕集器格子面上の洗浄水流れの速度成分のなす角度が予め設定された角度以上である格子面上の複数の点について、ボール捕集器格子面に対するボール捕集器格子面上の洗浄水流れの法線方向速度成分の平均値である基準評価値Ａを計算する評価方法Ａと、ボール捕集器格子面とボール捕集器格子面上の洗浄水流れの速度成分のなす角度が予め設定された角度以上である格子面上の複数の点について、ボール捕集器格子面に対するボール捕集器格子面上の洗浄水流れの速度成分に、該速度成分がボール捕集器格子面になす角度の大きさに応じてサイン関数による重み付けを行い、重み付けを行った速度成分のボール捕集器格子面に対する法線方向速度成分の平均値である基準評価値Ｂを計算する評価方法Ｂがある。
【００１１】
評価方法Ａの場合、前記基準変化量は、基準評価値Ａの変化量をきめる基準変化量Ａが設定され、評価方法Ｂの場合、前記基準変化量は、基準評価値Ｂの変化量をきめる基準変化量Ｂが設定される。
【００１２】
評価方法Ａ及びＢにより構築されたデータベースを用いて評価値を算出し、算出された評価値を、先行機に対しボール捕集率評価方法Ａ及びＢを適用して構築した先行機実績データに基づき設定された閾値と比較して合否判定を行い、不合格の場合には入力条件データを変更して再計算を繰り返して最適なボール捕集器上流循環水配管形状を決定する。
【００１３】
上記手段によれば、流動解析は評価値の基準値を算出する際に事前に行われ、個々のボール捕集器の計画に際しては、入力条件データの偏差により、評価値の基準値がどれだけ変化するかを算出するための基準変化量を用いて評価値の変化量を算出する。したがって、時間を要する流動解析を、個々のボール捕集器の計画の際に繰り返すことなく、ボール捕集器のボール捕集率が従来の実績に比べてどのような値になるかを判断できる。したがって、ボール捕集器上流側の循環水配管の構造の計画が容易になるとともに、ボール捕集率を目標の値に確保できる。
【発明の効果】
【００１４】
本発明によれば、ボール捕集率に与える配管構造の影響を予測するとともに、適切なボール捕集器上流循環水配管経路形状を、短時間で効率的に選定することが可能になる。
【発明を実施するための最良の形態】
【００１５】
以下本発明の実施の形態につき、図面を参照して説明する。図４にボール捕集器が設置される循環水配管の系統構成を示す。図示の復水器７は、冷却水入口水室７ａ、冷却水出口水室７ｂ、冷却水入口水室７ａと冷却水出口水室７ｂを連通して冷却水が通過する冷却細管８を含んで構成されている。冷却水入口水室７ａには冷却水入口循環水配管１３が接続され、冷却水出口水室７ｂには、ボール捕集器上流循環水配管９が接続されている。ボール捕集器上流循環水配管９の下流端には、ボール捕集器格子１１を備えたボール捕集器１０が接続されている。
【００１６】
冷却細管８の洗浄時には、図示されていないボール投入口からボール１２が冷却水入口循環水配管１３に投入され、投入されたボール１２は洗浄用の冷却水とともに冷却水入口水室７ａを経て冷却細管８に流入する。ボール１２は冷却細管８を通過しつつ、冷却細管８内面を洗浄し、冷却水出口水室７ｂ、ボール捕集器上流循環水配管９を経てボール捕集器１０に流入する。ボール捕集器１０に流入したボール１２はボール捕集器格子１１に捕集され、冷却水（洗浄水）はそのまま、ボール捕集器１０を通過する。ボール捕集器格子１１に捕集されたボール１２は、図示されていない取出し口から取出される。
【００１７】
図２に、ボール捕集器上流循環水配管９の例を示す。図示のボール捕集器上流循環水配管９は、直管９ａ，直管９ａに接続された９０度エルボ９ｂ、９０度エルボ９ｂに接続された直管９ｂ、及び９０度エルボ９ｂ及びまたは直管９ｂに内装された図示されていない整流板を含んで構成されている。
【００１８】
図１に、本実施の形態に係るボール捕集器上流循環水配管最適径路・構造見積もり支援ツール（以下、支援ツールという）の要部構成を示す。図示の支援ツールは、ボール捕集率演算のための条件（入力条件データ）が入力される条件入力インターフェース１と、条件入力インターフェース１に接続された演算部２と、演算部２に接続された評価方法データベース３と、演算部２の出力側に接続された対比部５と、対比部５に接続された実機実績データベース４と、を含んで構成されている。
【００１９】
条件入力インターフェース１は、表示画面と、入力用キーボード及びマウスを備えたコンピュータであり、条件入力のためのソフトウエアが搭載されている。このソフトウエアは、図５に示すような入力画面を前記表示画面に表示するように構成され、この入力画面で入力されたボール捕集率演算のための条件（入力条件データ）を前記演算部２に伝送する。
【００２０】
図５に示す入力画面では、配管洗浄時にボール捕集器上流循環水配管を流れる流水の流速、１段目エルボ（復水器から近いほうから数えて）の曲げ角、１段目エルボの整流板の有無、１段目エルボからボール捕集器までの距離（管径の倍数で表現）、捕集器の格子形状（Ｖ形、あるいはＷ形）、捕集器の向き（格子形状が天地に向かって開く形状か、左右に向かって開く形状か）、ディフューザーの有無、ディフューザーの位置（エルボからディフューザーまでの距離を管径の倍数で表現）、直管部の整流板の有無、直管部の整流板の位置（エルボから整流板までの距離を管径の倍数で表現）、直管部の整流板の長さ（管径の倍数で表現）、２段目エルボの有無、２段目エルボの曲げ角、１，２段目エルボの間隔（管径の倍数で表現）、直管部の横振りの有無、直管部振り角、復水器が１段目エルボの近くにあるかどうか（間隔が管径の１倍未満のとき、近くにある）、をそれぞれ入力するようになっている。
【００２１】
評価方法データベース３には、前記入力条件データがある条件（基準条件）にあるときのボール捕集率に関連する評価値（後述する基準評価値Ａ及び基準評価値Ｂ）と、前記入力条件データが前記基準条件と異なるとき、その差異が前記基準評価値に与える影響度を示すデータ（基準変化量）が入力条件ごとに設定、格納されている。
【００２２】
演算部２は、条件入力インターフェース１から入力された入力条件データそれぞれについて、評価方法データベース３に格納されている基準条件とどれだけ異なるかを算出し、算出された値と前記基準変化量に基づいて、前記基準評価値に対する変化量を入力条件データごとに算出したのち、前記基準評価値と算出した前記変化量から、対象とするボール捕集器の評価値を算定するように構成されている。
【００２３】
実機実績データベース４には、プラントごとのボール捕集器のボール捕集率実績値と前記評価値実績値、それら評価値実績値に基づいて設定された評価値Ａ目標値、評価値Ｂ目標値が格納されている。評価値実績値は、それぞれ後述する評価値Ａの実績値と評価値Ｂの実績値からなり、評価値Ａ目標値、評価値Ｂ目標値は、それぞれ後述する評価値Ａの目標値、評価値Ｂの目標値である。
【００２４】
対比部５は、演算部２で対象とするボール捕集器の評価値が算出されたら、実機実績データベース４から評価値目標値を読み出し、両者を対比して、算出された評価値≧評価値目標値であれば合格、算出された評価値＜評価値目標値であれば不合格と判定するように構成されている。
【００２５】
なお、本実施の形態では、図５に示すように、入力条件データ入力画面の下方に、「評価」と記載されたクリックボタンが表示されており、入力条件データ入力終了後、「評価」ボタンをクリックすることで、演算部２が演算を開始し、演算結果をその下部に配置された二つの表示窓に表示するようになっている。
【００２６】
次に、ボール捕集率に関連する前記評価値につき説明する。本発明では二つの評価値、すなわち、ボール捕集率評価方法Ａで算出される評価値Ａと、ボール捕集率評価方法Ｂで算出される評価値Ｂである。
【００２７】
ボール捕集器格子面とボール捕集器格子面上の流れの速度成分とのなす角がある角度α未満の場合には、格子に当ったボールは全て格子面に沿って下流側に流され、前記図示されていない取り出し手段から回収される。一方、ボール捕集器格子面とボール捕集器格子面上の流れの速度成分とのなす角が前記ある角度αを超えると、格子に当ったボールが流れの圧力で格子面に押し付けられ、下流側に流れにくくなり、格子面に滞留しやすくなることが判っている。
【００２８】
ボール捕集率評価に際しては、まず、流動計算でボール捕集器格子面の各点につき、ボール捕集器格子面とボール捕集器格子面上の流れの速度成分とのなす角を求める。
【００２９】
ボール捕集率評価方法Ａ（以下、評価方法Ａという）では、流動計算で求めた角が前記角度α未満となる点以外の点について、流れのボール捕集器格子面に対する法線方向速度の大きさの平均値を算出する。算出された平均値を評価値Ａとする。評価値Ａが小さいほど、ボールがボール捕集器格子面に滞留する割合は小さく、ボール捕集率に対する悪影響は小さい。
【００３０】
ボール捕集率評価方法Ｂ（以下、評価方法Ｂという）では、前記評価方法Ａにおける平均値算出の対象となったボール捕集器格子面の各点について、流れのボール捕集器格子面に対する法線方向速度の大きさに対し、ボール捕集器格子面とボール捕集器格子面上の流れの速度成分とのなす角の大きさに応じてサイン関数を用いて重み付けをした上で、前記評価方法Ａと同様に流れのボール捕集器格子面に対する法線方向速度の大きさの平均値を算出する。算出された平均値を評価値Ｂとする。評価値Ｂは、流れのボール捕集器格子面に対する法線方向速度の大きさが同じでも、ボール捕集器格子面とボール捕集器格子面上の流れの速度成分とのなす角の大きさが小さいほど、ボールがボール捕集器格子面に滞留する割合は小さくなることを加味している点が評価値Ａと異なる。評価値Ｂも、値が小さいほど、ボールがボール捕集器格子面に滞留する割合は小さく、ボール捕集率に対する悪影響は小さい。
【００３１】
評価方法データベース３には、前記入力条件データがある条件（基準条件）にあるときの流動計算により、ボール捕集器格子面各点につき、ボール捕集器格子面とボール捕集器格子面上の流れの速度成分とのなす角を求め、求めた角が前記角度α未満となる点以外の点について評価方法Ａにより算出された、流れのボール捕集器格子面に対する法線方向速度の大きさの平均値が基準評価値Ａとして格納されており、同じく、評価方法Ｂにより算出された評価値Ｂが基準評価値Ｂとして格納されている。さらに、前記入力条件データが前記基準条件とある値だけ異なるとき、対象とするボール捕集器の評価値Ａ、評価値Ｂが前記格納されている基準評価値Ａ、基準評価値Ｂに対してどれだけ変化するかの基準変化量Ａ、基準変化量Ｂが、入力条件ごとに設定、格納されている。なお、前記基準変化量Ａ、基準変化量Ｂの設定に当っては、できるだけ少ない計算量で多様な条件に対応できるよう、いわゆる田口メソッドを用いてデータを設定した。
【００３２】
以下、本発明の実施手順につき、図３を参照して説明する。まず、入力条件データの入力が行われる。この入力は、条件入力インターフェース１の表示画面に図５に示す入力画面を表示し、マウスにより画面上でデータを選択することで操作者が行う。入力するデータは、先に述べたように、図５に示すようなデータである。本実施の形態ではデータは全てマウスで選択する形式であるが、キーボードで入力する形式でもかまわない。
【００３３】
条件入力が終了し、操作者が入力画面下方に示されているクリックボタン「評価」をクリックすると、演算部２による演算、すなわち、評価値Ａ、評価値Ｂの算出が実行される。評価方法データベース３には、先に述べたように、評価方法Ａ、評価方法Ｂを用い、基準条件で予め算出された基準評価値Ａ、基準評価値Ｂが格納されている。
【００３４】
評価値Ａ、評価値Ｂの算出は、評価方法データベース３に格納されている前記基準評価値Ａ、基準評価値Ｂを読み出し、さらに、入力された入力条件データと評価方法データベース３に格納されている基準条件の差を入力条件データごとに算出して行われる。算出された差に応じて、同じく評価方法データベース３に格納されている入力条件データごとの基準変化量Ａ、基準変化量Ｂを用いて評価値変化量を算出し、前記読み出した基準評価値Ａ、基準評価値Ｂに加算して評価値Ａ、評価値Ｂが得られる。
【００３５】
得られた評価値Ａ、評価値Ｂは、図５に示す入力画面の「評価」ボタンの下部の表示窓に、表示される。本実施の形態では、評価値Ａが図上、左側の表示窓に、評価値Ｂが図上、右側の表示窓に、それぞれ表示される。
【００３６】
評価値Ａ、評価値Ｂが算出されてそれぞれ表示窓に表示されると、対比部５が、実機実績データベース４に格納されている評価値Ａ目標値、評価値Ｂ目標値を読み出し、評価値Ａ、評価値Ｂがそれぞれ表示されている表示窓の下方の表示窓に表示する。
【００３７】
操作者は、評価値Ａと評価値Ａ目標値、評価値Ｂと評価値Ｂ目標値を比較し、評価値Ａ≦評価値Ａ目標値、評価値Ｂ≦評価値Ｂ目標値であれば、合格と判断して、入力画面下部右側の「ＯＫ」クリックボタンをクリックする。「ＯＫ」クリックボタンをクリックすることで処理は終了し、入力された条件の配管構造が確定する。
【００３８】
評価値Ａ＞評価値Ａ目標値、評価値Ｂ＞評価値Ｂ目標値であれば、不合格と判断して、入力画面下部右側の「再試行」クリックボタンをクリックする。「再試行」クリックボタンをクリックすることで、先に入力された入力条件データが消去され、入力条件データの入力が可能になる。操作者は、新たな配管構造を計画して、先に述べた手順で、評価値Ａ＞評価値Ａ目標値、評価値Ｂ＞評価値Ｂ目標値となるまで、処理を繰り返せばよい。
【００３９】
本実施の形態では、評価値Ａ＞評価値Ａ目標値、評価値Ｂ＞評価値Ｂ目標値の二つの条件を満たすことで合格としたが、評価値Ａ＞評価値Ａ目標値、評価値Ｂ＞評価値Ｂ目標値のいずれかが満たされればよいとしてもよい。
【００４０】
なお、演算部２に接続して印字出力手段あるいは記憶手段を設けておき、合格と判断した場合でも、不合格と判断した場合でも、入力された入力条件データとそのときの評価値Ａ，評価値Ｂを印字出力あるいは記憶格納しておくことが望ましい。このようにしておけば、入力条件データを変える際も、どの入力条件データを変えるのが好ましいかの判断が容易になる。
【００４１】
図６に、循環水配管の構造例を示す。図の左側中段の２段エルボ（１段エルボ９０度）の場合、２段目０度では直管部の横振りなし、２段目９０度では振り角度９０度となる。図の右側中段の２段エルボ（１段エルボ４５度）の場合も、２段目０度では直管部の横振りなし、２段目９０度では振り角度９０度となる。
【００４２】
本実施の形態によれば、流動解析は評価値の基準値を算出する際に事前に行われ、個々のボール捕集器の計画に際しては、入力条件データの偏差により、評価値の基準値がどれだけ変化するかを算出するための基準変化量を用いて評価値の変化量を算出する。したがって、時間を要する流動解析を、個々のボール捕集器の計画の際に繰り返すことなく、ボール捕集器のボール捕集率が従来の実績に比べてどのような値になるかを判断できる。したがって、ボール捕集器上流側の循環水配管の構造の計画が容易になるとともに、ボール捕集率を目標の値に確保できる。
【図面の簡単な説明】
【００４３】
【図１】本発明の実施の形態に係るボール捕集器上流循環水配管最適径路・構造計画支援ツールの要部構成を示すブロック図である。
【図２】本発明が対象とするボール捕集器上流側循環水配管の例を示す外観図である。
【図３】本発明の実施の形態に係る支援ツールを用いた処理の手順の例を示す手順図である。
【図４】本発明が対象とするボール捕集器を含む配管系統の例を示す概念図である。
【図５】本発明の実施の形態に係る支援ツールの入力画面の例を示す平面図である。
【図６】本発明が対象とするボール捕集器上流側循環水配管の構造例を示す概念図である。
【符号の説明】
【００４４】
１  条件入力インターフェース
２  演算部
３  評価方法データベース
４  実機実績データベース
５  対比部
７  復水器
７ａ  冷却水入口水室
７ｂ  冷却水出口水室
８  冷却細管
９  循環水配管
１０  ボール捕集器
１１  ボール捕集器格子
１２  ボール
１３  冷却水入口循環水配管
【図１】
2008082568.tif 000003
【図２】
2008082568.tif 000004
【図３】
2008082568.tif 000005
【図４】
2008082568.tif 000006
【図５】
2008082568.tif 000007
【図６】
2008082568.tif 000008